(57)【要約】【課題】ピースの載置による絵柄の形成態様をより複雑にして、パズルを完成させる過程を楽しめるだけでなく、鑑賞性にも優れたパズルを提供する。【解決手段】複数のピース片から構成される下層ピース４０の上面に、複数のピース片から構成される上層ピース５０を載置して全体絵柄６０を完成させるパズルであって、透明領域５１、着色透過領域５２、着色非透過領域５３のうちの少なくともいずれかの領域を備える上層ピース５０の全てが、適正に配置された下層ピース４０の上面に適正に載置されることにより、下層ピース４０により形成される下層絵柄４６と層ピース５０により形成される上層絵柄５６との合成による全体絵柄６０が表示される。【選択図】図２
2013005903.tif 000002
【特許請求の範囲】
【請求項１】
複数のピース片から構成される下層ピースの上面に、複数のピース片から構成される上層ピースを載置して全体絵柄を完成させるパズルであって、
前記下層ピースの各ピース片は、少なくとも着色領域を備え、各ピース片が適正位置に配置されることにより所定の下層絵柄を形成し、
前記上層ピースの各ピース片は、透明領域、透光性を有する着色透過領域、透光性を有しない着色非透過領域のうちの少なくともいずれかの領域を備え、各ピース片が適正位置に配置されることにより所定の上層絵柄を形成し、
前記上層ピースの全てが、適正に配置された下層ピースの上面に適正に載置されることにより、前記下層絵柄と前記上層絵柄との合成による全体絵柄が表示されることを特徴とするパズル。
【請求項２】
ベースの上面に複数のピース片から構成される下層ピースを載置し、前記下層ピースの上面に複数のピース片から構成される上層ピースを載置して全体絵柄を完成させるパズルであって、
前記ベースは、透光部材で形成されているとともに、着色領域からなるベース絵柄を備え、
前記下層ピースの各ピース片は、透明領域、透光性を有する着色透過領域、透光性を有しない着色非透過領域のうちの少なくともいずれかの領域を備え、各ピース片が適正位置に配置されることにより所定の下層絵柄を形成し、
前記上層ピースの各ピース片は、透明領域、透光性を有する着色透過領域、透光性を有しない着色非透過領域のうちの少なくともいずれかの領域を備え、各ピース片が適正位置に配置されることにより所定の上層絵柄を形成し、
前記下層ピースの全てが前記ベースの上面に適正に載置され、かつ上層ピースの全てが、適正に配置された下層ピースの上面に適正に載置されることにより、前記ベース絵柄と前記下層絵柄と前記上層絵柄との合成による全体絵柄が表示されることを特徴とするパズル。
【請求項３】
ベースの上面に複数のピース片から構成される下層ピースを載置し、前記下層ピースの上面に複数のピース片から構成される上層ピースを載置して全体絵柄を完成させるパズルであって、
前記ベースを面発光させる発光装置を備え、
前記ベースは、透光部材で形成されているとともに、着色領域からなるベース絵柄を備え、
前記下層ピースの各ピース片は、透明領域、透光性を有する着色透過領域、透光性を有しない着色非透過領域のうちの少なくともいずれかの領域を備え、各ピース片が適正位置に配置されることにより所定の下層絵柄を形成し、
前記上層ピースの各ピース片は、透明領域、透光性を有する着色透過領域、透光性を有しない着色非透過領域のうちの少なくともいずれかの領域を備え、各ピース片が適正位置に配置されることにより所定の上層絵柄を形成し、
前記下層ピースの全てが前記ベースの上面に適正に載置され、かつ上層ピースの全てが、適正に配置された下層ピースの上面に適正に載置されることにより、前記ベース絵柄と前記下層絵柄と前記上層絵柄との合成による全体絵柄が表示され、
前記発光装置が所定の発光色で点灯されることにより、ベース絵柄と下層絵柄及び／又は上層絵柄の重複部分、もしくは下層絵柄と上層絵柄の重複部分の色が変化して、発光装置を点灯しない場合とは異なる全体絵柄が表示されることを特徴とするパズル。
【発明の詳細な説明】
【技術分野】
【０００１】
本発明は、複数のピース片をベースとなる部材の所定の位置に載置することにより全体で一つの絵柄を完成させるパズルに関する。
【背景技術】
【０００２】
絵柄や着色が施された複数のピース片を適正位置に並べて所定の絵柄を完成させるパズルとしては、様々なものが考案されている。例えば、特許文献１には、透明素材により形成された複数層のピースを設け、下層ピースの絵柄の上に上層ピースの絵柄を重ねることにより、双方の重複した透明部分から透けて見える下地により絵柄が形成されるパズルが開示されている。また、特許文献２には、光透過性を有するピースに光透過性の画像を印刷し、複数層のピースを重ねた状態で下方から光をあてることにより、各ピース層に形成された絵柄の重複部分がフルカラーで表示されるジグソーパズルが開示されている。
【先行技術文献】
【特許文献】
【０００３】
【特許文献１】特開２０１１−４１５８９号公報
【特許文献２】特開２００１−２５２４６１号公報
【発明の概要】
【発明が解決しようとする課題】
【０００４】
上記した従来技術をふまえ、本願発明は、ピースの載置による絵柄の形成態様をより複雑にして、パズルを完成させる過程を楽しめるだけでなく、鑑賞性にも優れたパズルを提供することを目的とする。
【課題を解決するための手段】
【０００５】
上記課題を解決するため、請求項に記載の発明は以下のような構成を有する。
なお、括弧内の符号は、発明の実施の形態において用いた符号を示し、本発明の技術的範囲を限定するものではない。
（請求項１）
請求項１記載の発明は、複数のピース片から構成される下層ピース(40)の上面に、複数のピース片から構成される上層ピース(50)を載置して全体絵柄(60)を完成させるパズル(P)に係る。前記下層ピース(40)各ピース片は、少なくとも着色領域を備え、各ピース片が適正位置に配置されることにより所定の下層絵柄(46)を形成し、前記上層ピース(50)の各ピース片は、透明領域(51)、透光性を有する着色透過領域(52)、透光性を有しない着色非透過領域(53)のうちの少なくともいずれかの領域を備え、各ピース片が適正位置に配置されることにより所定の上層絵柄(56)を形成する。そして、前記上層ピース(50)の全てが、適正に配置された下層ピース(40)の上面に適正に載置されることにより、前記下層絵柄(46)と前記上層絵柄(56)との合成による全体絵柄(60)が表示されることを特徴とする。
【０００６】
前記下層ピース(40)は、紙やプラスチック等の所定の地色を有する不透明部材又は透光性を有する部材で形成されており、着色領域はベースの地色と異なる着色部分を意味するものである。下層ピース(40)としては、透明領域(41)や透光性を有する着色透過領域(42)や透光性を有しない着色非透過領域(43)を有していてもよい。すなわち、「着色領域」には透明以外の透過領域、非透過領域が含まれる。
前記上層ピース(50)は、透光性を有する部材で形成することができ、複数のピース片には、透明領域(51)のみを備えているもの、着色透過領域(52)のみを備えているもの、着色非透過領域(53)のみを備えているもの、それらのいずれかの組合せを備えているものが含まれる。
【０００７】
ここで、「色」には白と黒も含まれる。また、「領域」には「線」も含まれる。すなわち、「絵柄」には、輪郭線のない着色部分のみの絵柄と、輪郭線により囲まれた絵柄と、線のみにより描かれた絵柄が含まれる（以下請求項２、３において同じ）。
またここで、「合成による全体絵柄(60)」とは、具体的には、上層ピース(50)の透明領域(51)から透過する下層ピース(40)の下層絵柄(46)、上層ピース(50)の着色透過領域(42)と下層ピース(40)の下層絵柄(46)の一部とが重複して形成される絵柄(色合成絵柄61)、上層ピース(50)の着色非透過領域(43)が下層絵柄(46)の一部を遮蔽して形成される絵柄(遮蔽絵柄62)、上層ピース(50)の着色透過領域(42)又は着色非透過領域(43)が下層絵柄(46)の一部と合致して形成される絵柄(合体絵柄63)を含む絵柄である。
【０００８】
本発明によれば、上層ピース(50)により絵柄を完成させるための条件が、下層ピース(40)の下層絵柄(46)を透過させ、重複させ、遮蔽し、合体させ、と多岐にわたるので、パズルの難易度を上げることができる。また、上層ピース(50)の着色透過領域(52)と下層ピース(40)の下層絵柄(46)との重複部分が色合成されて様々な色彩を表示できる。
（請求項２）
請求項２記載の発明は、ベース(30)上面に複数のピース片から構成される下層ピース(40)を載置し、前記下層ピース(49)の上面に複数のピース片から構成される上層ピース(50)を載置して全体絵柄(60)を完成させるパズルに係る。前記ベース(30)は、透光部材で形成されているとともに、着色領域(32)からなるベース絵柄(36)を備えている。前記下層ピース(40)の各ピース片は、透明領域(41)、透光性を有する着色透過領域(42)、透光性を有しない着色非透過領域(43)のうちの少なくともいずれかの領域を備え、各ピース片が適正位置に配置されることにより所定の下層絵柄(46)を形成する。また、前記上層ピース(50)の各ピース片は、透明領域(51)、透光性を有する着色透過領域(52)、透光性を有しない着色非透過領域(53)のうちの少なくともいずれかの領域を備え、各ピース片が適正位置に配置されることにより所定の上層絵柄(56)形成する。そして、前記下層ピース(40)の全てが前記ベース(30)の上面に適正に載置され、かつ上層ピース(50)の全てが、適正に配置された下層ピース(40)の上面に適正に載置されることにより、前記ベース絵柄(36)と前記下層絵柄(46)と前記上層絵柄(56)との合成による全体絵柄(60)が表示されることを特徴とする。
【０００９】
前記ベース(30)は、紙やプラスチック等の所定の地色を有する不透明部材又は透光性を有する部材で形成されており、着色領域(32)はベースの地色と異なる着色部分を意味するものである。ベース(30)としては、透明領域(33)や透光性を有する着色透過領域(34)や透光性を有しない着色非透過領域(35)を有していてもよい。すなわち、「着色領域」には透明以外の透過領域、非透過領域が含まれる。
前記下層ピース(40)及び上層ピース(50)は、透光性を有する部材で形成することができ、複数のピース片には、透明領域(41,51)のみを備えているもの、着色透過領域(42,52)のみを備えているもの、着色非透過領域(43,53)のみを備えているもの、それらのいずれかの組合せを備えているものが含まれる。
【００１０】
ここで、「合成による全体絵柄(60)」とは、具体的には、下層ピース(40)及び上層ピース(50)の双方の透明領域(41,51)から透過するベース(30)のベース絵柄(36)、下層ピース(40)の着色透過領域(42)及び／又は上層ピース(50)の着色透過領域(52)とベース絵柄(36)の一部とが重複し、あるいは下層ピース(40)の着色透過領域(42)又は着色非透過領域(43)と上層ピース(50)の着色透過領域(52)とが重複して形成される絵柄(色合成絵柄61)、下層ピース(40)の着色非透過領域(43)及び／又は上層ピース(50)の着色非透過領域(53)がベース絵柄(36)の一部を遮蔽し、あるいは上層ピース(50)の着色非透過領域(53)が下層ピース(40)の着色透過領域(42)又は着色非透過領域(43)を遮蔽して形成される絵柄(遮蔽絵柄62)、下層ピース(40)の着色透過領域(42)又は着色非透過領域(43)がベース絵柄(36)の一部と合致し、あるいは上層ピース(50)の着色透過領域(52)又は着色非透過領域(53)がベース絵柄(36)又は下層絵柄(46)の一部と合致して形成される絵柄(合体絵柄63)を含む絵柄である。
【００１１】
本発明によれば、下層ピース(40)及び上層ピース(50)により絵柄を完成させるための条件が、ベース(30)の部分絵柄(36)及び下層ピース(40)の下層絵柄(46)を透過させ、重複させ、遮蔽し、合体させ、と多岐にわたるので、パズルの難易度を上げることができる。また、下層ピース(40)及び／又は上層ピース(50)の着色透過領域(42,52)とベース絵柄(36)との重複部分、上層ピース(50)の着色透過領域(52)と下層絵柄(46)との重複部分が色合成されて様々な色彩を表示できる。
（請求項３）
請求項３記載の発明は、ベース(30)の上面に複数のピース片から構成される下層ピース(40)を載置し、前記下層ピース(40)の上面に複数のピース片から構成される上層ピース(50)を載置して全体絵柄(60)を完成させるパズルであって、前記ベース(30)を面発光させる発光装置（バックライトユニット2）を備えている。前記ベース(30)は、透光部材で形成されているとともに、着色領域(32)からなるベース絵柄(36)を備えている。前記下層ピース(40)の各ピース片は、透明領域(41)、透光性を有する着色透過領域(42)、透光性を有しない着色非透過領域(43)のうちの少なくともいずれかの領域を備え、各ピース片が適正位置に配置されることにより所定の下層絵柄(46)を形成する。また、前記上層ピース(50)の各ピース片は、透明領域(51)、透光性を有する着色透過領域(52)、透光性を有しない着色非透過領域(53)のうちの少なくともいずれかの領域を備え、各ピース片が適正位置に配置されることにより所定の上層絵柄(56)を形成する。
【００１２】
そして、前記下層ピース(40)の全てが前記ベース(30)の上面に適正に載置され、かつ上層ピース(50)の全てが、適正に配置された下層ピース(40)の上面に適正に載置されることにより、前記ベース絵柄(36)と前記下層絵柄(46)と前記上層絵柄(56)との合成による全体絵柄(60)が表示され、前記発光装置(2)が所定の発光色で点灯されることにより、ベース絵柄(36)と下層絵柄(46)及び／又は上層絵柄(56)の重複部分、もしくは下層絵柄(46)と上層絵柄(56)の重複部分の色が変化して、発光装置(2)を点灯しない場合とは異なる全体絵柄(60)が表示されることを特徴とする。
前記発光装置(2)は、ベース(30)の面全体を裏面側から照射可能な装置であって、ベース(30)を収納する収納箱(10)に蛍光ランプやＬＥＤなどの発光体(11)や光を拡散させるための導光板を設けたバックライト装置とすることができる。
【００１３】
前記ベース(30)、下層ピース(40)及び上層ピース(50)は、請求項２に係るものと同様である。また、「合成による全体絵柄(60)」も、請求項２に係るものと同様である。
ここで、「発光装置(2)が所定の発光色で点灯されることにより、・・・発光装置(2)を点灯しない場合とは異なる全体絵柄(60)が表示される」とは、発光装置(2)を点灯させない場合と点灯させた場合とで、表面側に表示される絵柄の形状や色彩が異なることと、発光装置(2)を特定色で点灯させた場合と、特定色以外の色で点灯させた場合とで表面側に表示される絵柄の形状や色彩が異なることの双方を含む。具体例としては、ベース(30)の着色非透過領域(35)と下層ピース(40)の着色透過領域(42)が同じ色彩である場合に、発光装置(2)を点灯させない場合にはベース(30)の着色非透過領域(35)と下層ピース(40)の着色透過領域(42)の見分けが付かず、発光装置(2)を点灯させた場合にはベース(30)の着色非透過領域(35)が後背からの照射光を遮って所定の絵柄が暗色で表示されるようにすることができる。ベース(30)と上層ピース(50)との関係、下層ピース(40)と上層ピース(50)との関係においても、同様の構成をとることができる。あるいは、ベース絵柄(36)や下層絵柄(46)や上層絵柄(56)に、特定色のみ透過する特定色透過部、又は特定色のみ透過しない特定色非透過部を設け、発光装置(2)を特定色で点灯させたときと、発光装置(2)を特定色以外の色で点灯させたときとで、ベース絵柄(36)と下層ピース(40)及び／又は上層ピース(50)の着色透過領域(42,52)の重複部分の色が変化して、所定の絵柄が表示されたり表示されなかったりするように形成することができる。
【００１４】
本発明によれば、完成したパズル(P)の装飾品としての価値をより高めることができる。
【発明の効果】
【００１５】
本発明は、以上のように構成されているので、ピースの載置による絵柄の形成態様がより複雑となり、パズルを完成させる過程を楽しめるだけでなく、鑑賞性にも優れたパズルを提供することができる。
【図面の簡単な説明】
【００１６】
【図１】本発明の第一の実施の形態であって、パズルの分解斜視図である。
【図２】ベース及びピースを示す平面図である。
【図３】完成したパズルの平面図である。
【図４】図柄の合成、重複、合体を示す説明図である。
【図５】本発明の第二の実施の形態であって、パズルの分解斜視図である。
【図６】第二の実施の形態に係るベース及びピースを示す平面図である。
【図７】第二の実施の形態に係るパズルの平面図である。
【発明を実施するための形態】
【００１７】
本発明の好適な実施の形態を、第一及び第二の実施の形態に分けて、図面に基づき説明する。
（第一の実施の形態）
第一の実施の実施の形態に係るパズルＰは、図１に示すように、ベース30及び下層ピース40及び上層ピース50からなるパズル部材１を備えている。
ベース30は、プラスチック板やボール紙などの有色素材（例えば白白）により形成された方形薄板部材であり、図２（Ａ）に示すように、背景色を構成する非着色領域31と、非着色領域31にシールを貼付し又は印刷によりあるいは異なる色の着色部材を嵌め込んで形成した着色領域32とを備えている。そして、これらの領域によって、所定のベース絵柄36が形成されている。
【００１８】
下層ピース40は、ベース30の大きさを４分割した方形薄板状の４つのピース片40A〜40Dから構成されている。各ピース片40A〜40Dは、アクリル板などの透明素材により形成されており、図２（Ｂ）に示すように、無色透明な透明領域41と、透明部分に透過性のシールを貼付し又は透過性のインクで印刷しあるいは透明部分に透過性の着色部材を嵌め込んで形成した着色透過領域42と、透明部分に非透過性のシールを貼付し又は非透過性のインクで印刷しあるいは透明部分に非透過性の着色部材を嵌め込んで形成した着色非透過領域43とを備えている。そして、各ピース片40A〜40Dが適正に配置されることにより、前記各領域によって、所定の下層絵柄46が形成される。
【００１９】
上層ピース50は、下層ピース40と同様に４つのピース片50A〜50D片から構成されている。各ピース片50A〜50D片は、アクリル板などの透明素材により形成されており、図２（Ｃ）に示すように、無色透明な透明領域51と、透明部分に透過性のシールを貼付し又は透過性のインクで印刷しあるいは透明部分に透過性の着色部材を嵌め込んで形成した着色透過領域52と、透明部分に非透過性のシールを貼付し又は非透過性のインクで印刷しあるいは透明部分に非透過性の着色部材を嵌め込んで形成した着色非透過領域53とを備えている。そして、各ピース片50A〜50D片が適正に配置されることにより、前記各領域によって、所定の上層絵柄56が形成される。
【００２０】
そして、各ピース片40A〜40D及び50A〜50Dにより表示される下層絵柄46及び上層絵柄56は、各ピース片40A〜40Dの全てをベース30の適正位置に載置し、かつ各ピース片50A〜50Dの全てを下層ピース40の適正位置に載置すると、ベース30に表示されているベース絵柄36と合成されて、図３に示すような全体絵柄60が完成するようになっている。ここで、合成には、色合成、重複、合体が含まれる。すなわち、全体絵柄60は、ベース絵柄36と上層絵柄46とにより形成される色合成絵柄61、遮蔽絵柄62、合体絵柄63とから構成されている。
具体的には、図４（Ａ）に示すように、下層ピース40に表示されている着色領域42（例えば赤色）からなる花びらの絵柄（花びらの中心部分は黄色の着色領域42）と、上層ピース50（図示した例ではピース50B）の着色透過領域52（例えば黄色）からなるリング状の絵柄（リングの中央は透明領域51）が重複することにより、花びらの中心部分が色合成され、花びらの中心部分の色が異なる花（中心が黄色、その周囲がオレンジ色でその他が赤色）を表す色合成絵柄61が形成される。また、図４（Ｂ）に示すように、ベース30に表示されている着色領域32からなる花束の包みの絵柄と、下層ピース40（図示した例ではピース40D）の着色非透過領域43からなるリボンの絵柄と、上層ピース50（図示した例ではピース50D）の着色非透過領域53からなるリボンの結び目の絵柄が重複することにより、包みの絵柄の一部が遮蔽されリボンの絵柄が重なり、さらに結び目の絵柄が重なって、花束の包みにリボンを掛けたものを表す遮蔽絵柄62が形成される。また、図４（Ｃ）に示すように、下層ピース40に表示されている着色領域42からなる葉っぱ半分の絵柄と、上層ピース50（図示した例ではピース50B）の着色透過領域52又は着色非透過領域53からなる葉っぱ半分の絵柄が合致することにより、葉っぱ一枚を表す合体絵柄63が形成される。
【００２１】
なお、特に図示しないが、全体絵柄60の中には、ベース絵柄36と下層絵柄46又は上層絵柄56とにより表示される色合成絵柄61や合体絵柄63が含まれていてもよい。あるいは、ベース絵柄36が単独で（下層絵柄46及び上層絵柄56に関与せず）、上層ピース50及び下層ピース40の透明領域41,51を透過して表示されるものが含まれていてもよい。
このパズルＰを完成させるためには、ベース絵柄36と下層絵柄46により形成される絵柄を予測しながら、下層ピース40の各ピース片40A〜40Dの配置を考え、さらに下層ピース40と上層ピース50により形成される絵柄を予測しながら、上層ピース50の各ピース片50A〜50Dの配置を考えることとなる。図示した例では、下層ピース40及び上層ピース50のピース数は４枚としてあったが、もちろん、ピースの数は４枚に限られるものではなく、ピース数が多いほど難易度が高くなる。また、各ピースの形状も、四角形のものに限られず、他の多角形や曲線を含む形状としてもよく、ジグソーパズルのような凹凸を有する形状であってもよい。さらに、下層ピース40と上層ピース50のピース数やピースの形状は同一でなくともよい（図６参照）。
【００２２】
本実施の形態によれば、下層絵柄46の描かれた下層ピース40を所定の位置に配置する際に、ベース30のベース絵柄36との関係も考慮し、さらに、上層絵柄56の描かれた上層ピース50を所定の位置に配置する際には、ベース絵柄36と下層ピース40の下層絵柄46との関係も考慮しながら、配置を決めるという、新たな遊技性を作り出すことができる。また、ベース絵柄36、下層絵柄46、上層絵柄56の重複により全体絵柄60が形成されるので、完成した絵柄が立体的に見え、鑑賞用としても優れている。
なお、本実施の形態では、ベース絵柄36、下層絵柄46、上層絵柄56は全て輪郭線を有しており、その内部に着色領域（透過・非透過含む）を備えるものとなっていたが、ベース絵柄36、下層絵柄46、上層絵柄56には、輪郭線を有しないものも含まれる。すなわち、着色領域のみで形成された絵柄であってもよいものである（図６参照）。この場合、各ピース片40A〜40D又は50A〜50Dには、着色領域のみ、又は透過領域のみから構成されているものが含まれていてもよい。また、絵柄には、輪郭線のみで形成された絵柄が含まれていてもよい。さらに、ベース30と下層ピース40の着色透過領域のみで形成された絵柄、又はベース30と上層ピース50の着色透過領域のみで形成された絵柄が重ね合わせられることにより、あるいは下層ピース40の着色透過領域と上層ピース50の着色透過領域のみで形成された絵柄が重ね合わせられることにより、重複部分に所定の絵柄が形成されるようにしてもよい。
【００２３】
また、本実施の形態では、ベース絵柄36を備えるベース30の上面に二層のピースを重ねるように形成してあったが、ベース30はベース絵柄36を有していなくてもよい。この場合には、下層ピース40と上層ピース50の透明領域41,51からベース30の下地の色が透けて見え、下層絵柄46と上層絵柄56の合成により、全体絵柄60が完成するものとなる。なお、この場合、パズルＰとしては、ベース30は必須の構成ではなく、例えば机の上などの平面に下層ピース40を配置し、その上に上層ピース50を載置する方法でも、パズルを完成させることが可能である。
（第二の実施の形態）
第二の実施の形態に係るパズルＰは、図５に示すように、ベース30及び下層ピース40及び上層ピース50からなるパズル部材１と、収納箱10を有するバックライトユニット２を備えている。ここで、本実施の形態では、ベース30はアクリル板などの透明素材により形成された導光板で形成されている。従って、ベース30はバックライトユニット２の構成部品としても機能する。
【００２４】
バックライトユニット２は、パズル部材１を下方から照明するための照明装置である。収納箱10の内壁には、複数の発光体11、例えばＬＥＤが設けられており、収納箱10にベース30を収納して発光体11を点灯させると、ベース30の側面から照射される光がベース30の内部で屈折し、ベース30の全体が面発光するようになっている。また、収納箱10には、下層ピース40及び上層ピース50を載置したベース30を収納可能となっており、パズル作成時の枠体として使用できるとともに、完成したパズル部材１を飾るための額縁としても機能する。
なお、発光体11はＬＥＤに限られず、蛍光ランプでもよい。また発光体11の配置は、導光板であるベース30を面発光させられるものであれば、どのような態様であっても構わない。
【００２５】
ベース30は、図６（Ａ）に示すように、無色透明な透明領域33と、透明部分に透過性のシールを貼付又は透過性のインクで印刷しあるいは透明部分に透過性の着色部材を嵌め込んで形成した着色透過領域34とを備えている。そして、これらの領域によって、所定のベース絵柄36が形成されている。
下層ピース40は、図６（Ｂ）に示すように、ベース30の大きさを１２分割した方形薄板状の１２個のピース片40a〜40lから構成されている。各ピース片40a〜40lは、アクリル板などの透明素材により形成されており、透明領域41、着色透過領域42、着色非透過領域43のうちの少なくともいずれかを備えている。そして、各ピース片40a〜40lを適正に配置することにより、前記各領域によって、所定の下層絵柄46が形成される。
【００２６】
上層ピース50は、図６（Ｃ）に示すように、寸法の異なる２０個のピース片50a〜50tから構成されている。ピース片50a〜50tは、下層ピース40の上面に載置したときに、下層ピース40のピース片の継ぎ目と上層ピース50のピース片の継ぎ目が合致しないような形に形成されている。各ピース片50a〜50tは、下層ピース40と同様に、アクリル板などの透明素材により形成されており、透明領域51、着色透過領域52、着色非透過領域53のうち少なくともいずれかを備えている。そして、各ピース片50a〜50tを適正に配置することにより、前記各領域によって、所定の上層絵柄56が形成される。
ここで、下層ピース40の着色非透過領域43の色彩は、ベース30の着色透過領域34と同じに設定されている。また、上層ピース50の着色非透過領域53の色彩は、下層ピース40の着色透過領域42と同じに設定されている。そして、全体絵柄の完成時に、下層ピース40の着色非透過領域43はベース30の着色透過領域34と重複し、上層ピース50の着色非透過領域53は下層ピース40の着色透過領域42と重複する位置となるように形成されている。さらに、上層ピース50の着色透過領域52は下層ピース40の着色非透過領域43と重複する位置となるように形成されている。また、下層ピース40及び上層ピース50の着色非透過領域43,53は、輪郭線の無い着色領域となっている。
【００２７】
このように形成されたパズルＰにおいて、収納箱10にベース30を収納し、ベース30の上面に下層ピース40の全てを適正に載置すると、図７（Ａ）に示すように、ベース30の着色透過領域34と下層ピース40の着色透過領域42との重複部分に、色合成絵柄61が表示される。ただし、下層ピース40の着色非透過領域43はベース30の着色透過領域34と同じ色彩であり、かつ輪郭線が無いために見分けが付かず、重複部分に絵柄を視認することはできない。
さらに、下層ピース40の上面に上層ピース50の全てを適正に載置すると、図７（Ｂ）に示すように、ベース30の着色透過領域34と上層ピース50の着色透過領域52との重複部分に、色合成絵柄61が表示される。ただし、上層ピース50の着色非透過領域53と下層ピース40の着色透過領域42の重複部分は、同じ色彩であり、かつ輪郭線が無いために見分けが付かず、重複部分に絵柄を視認することはできない。従って、この状態では、全体絵柄60は未完成である。
【００２８】
一方、パズル部材１を収納箱10に収めた状態でバックライトユニット２の発光体11を点灯させると、全体絵柄60がより鮮やかに表示される。それに加え、下層ピース40及び上層ピース50の着色非透過領域43,53は照射光を透過しないためにその部分だけが暗色となり、図７（Ｃ）に示すように、発光体11を点灯させない場合には視認不能であった絵柄が表示されるものとなる。すなわち、発光体11を点灯させることにより、着色非透過領域43,53が照射光を遮蔽し、着色透過領域52,42との重複部分に遮光絵柄64を形成する。これで、全体絵柄60が完成することとなる。
このように、本実施の形態によれば、第一の実施の形態の効果に加え、ベース30の下方から光を照射することにより、色合成をより効果的に表現することができる。また、着色非透過領域43,53と着色透過領域52,42の組合せを上記のように形成することにより、バックライトの点灯時と消灯時とで、異なる全体絵柄60を表示させることができる。また、特定の色の光を照射することにより、色合成絵柄61の色彩も変化し、光を照射しない場合又は特定の色の光を照射しない場合とは異なる色彩の全体絵柄60が表示されるものとなる。
【００２９】
なお、バックライトユニット２にベース30の下方に配置される導光板を設けてもよい。また、ベース30及び下層ピース40及び上層ピース50には、第一の実施の形態と同様に、輪郭線で囲まれた領域を設けてもよく、ベース30にも着色非透過領域を設けてもよい。そして、下層ピース40及び上層ピース50をベース30の適正位置に載置したときに、遮蔽絵柄62や合体絵柄63（図４参照）が形成されるようになっていてもよい。
さらに、バックライトの点灯時と消灯時とで表示される絵柄を異ならせる方法としては、上記以外にも、ベース30や下層ピース40や上層ピース50に、特定色のみ透過する特定色透過領域や、特定色のみ透過しない特定色非透過領域を設け、発光体11としてＲＧＢＬＥＤライトを用い、完成したパズルＰの後背から照射する発光色を変化させることにより、部分絵柄の一部が視認不能となって、あるいは視認可能となって、さらにその際に表示される色彩が異なる全体絵柄60が表示されるようにすることも可能である。このように形成した場合には、バックライトユニット２を点灯させる状況を考慮しながらピースの置き場所を見つける必要があり、パズルとしての難易度を高くすることができるとともに、完成したパズルの鑑賞性をより高めることができる。
【符号の説明】
【００３０】
Ｐ  パズル
１  パズル部材                    ２  バックライトユニット
10  収納箱                        11  発光体
20  導光板                        30  ベース
31  非着色領域                    32  着色領域
33  透明領域                      34  着色透過領域
35  着色非透過領域                36  部分絵柄
40  下層ピース
41  透明領域                      42  着色透過領域
43  着色非透過領域                46  部分絵柄
50  上層ピース
51  透明領域                      52  着色透過領域
53  着色非透過領域                46  部分絵柄
60  完成絵柄                      61  色合成絵柄
63  遮蔽絵柄                      63  合体絵柄
64  遮光絵柄
【図１】
2013005903.tif 000003
【図２】
2013005903.tif 000004
【図３】
2013005903.tif 000005
【図４】
2013005903.tif 000006
【図５】
2013005903.tif 000007
【図６】
2013005903.tif 000008
【図７】
2013005903.tif 000009